(57)【要約】【課題】レンズ光軸方向のレンズ移動量を確保する一方で、レンズを保護するためのバリア保持筒のレンズ光軸方向の寸法と径方向の寸法を低減することが可能なレンズバリア装置を提供する。【解決手段】レンズ筒４の外周に配置されたバリア保持筒３の前端部に設けられたレンズバリア装置５であって、バリア基板５１とバリアカバー５２に設けたレンズ開口５ａを開閉するバリア羽根６とこれを開閉駆動する駆動レバー７を備え、バリア羽根６と駆動レバー７はレンズ光軸Ｌｘに垂直な平面上に配置される。特に、バリア羽根６と駆動レバー７はレンズ光軸方向に近接配置されたバリア基板５１とバリアカバー５２との間に構成されたレンズ光軸方向の微小間隙内に配設される。【選択図】  図３
2014228712.tif 000002
【特許請求の範囲】
【請求項１】
レンズ筒の外周に配置されたバリア保持筒に設けられたレンズバリア装置であって、当該バリア保持筒に設けたレンズ開口を開閉するバリア羽根と、当該バリア羽根を開閉駆動するための駆動レバーとがレンズ光軸に垂直な平面上に配置されたことを特徴とするレンズバリア装置。
【請求項２】
前記バリア保持筒に配設されてレンズ光軸方向に互いに近接配置されたバリア基板とバリアカバーを備え、前記バリア羽根と前記駆動レバーはこれらバリアカバーとバリア基板との間に構成されたレンズ光軸方向の微小間隙内に配設されていることを特徴とする請求項１に記載のレンズバリア装置。
【請求項３】
前記バリア羽根は前記レンズ光軸を挟んで対称に配置され、前記平面上での回動位置の変化によって前記レンズ開口を開閉する一対の板部材で構成され、前記駆動レバーは前記バリア羽根のそれぞれに対して設けられ、自身の回動位置変化によって各バリア羽根の回動位置を変化させる一対の板部材で構成されていることを特徴とする請求項１または２に記載のレンズバリア装置。
【請求項４】
前記バリア保持筒の内周面に沿って配置され、レンズ光軸回りに回動されたときに前記駆動レバーを回動させるカム筒を備えることを特徴とする請求項１ないし３のいずれかに記載のレンズバリア装置。
【請求項５】
前記駆動レバーに回動習性を付与するための第１のスプリングと、前記バリア羽根に回動習性を付与するための第２のスプリングとを備えており、これら第１と第２のスプリングは前記バリア基板に設けた切欠き内に内装されていることを特徴とする請求項２ないし４のいずれかに記載のレンズバリア装置。
【請求項６】
前記第１のスプリングは前記駆動レバーを前記バリア基板に対して回動付勢し、前記第２のスプリングは前記バリア羽根を前記駆動レバーに対して回動付勢し、前記カム筒は前記駆動レバーを前記第１のスプリングの回動付勢と反対方向に強制回動させる構成であり、前記駆動レバーは前記第１のスプリングの付勢力によって前記バリア羽根を前記第２のスプリングの付勢力に抗して前記レンズ開口を開放する位置に回動し、前記カム筒によって前記第１のスプリングの付勢力に抗して強制回動されたときに前記バリア羽根を前記第２のスプリングの付勢力によって前記レンズ開口を閉じる方向に回動する構成であることを特徴とする請求項５に記載のレンズバリア装置。
【請求項７】
前記バリア基板は、前記駆動レバーの板厚方向の変位、変形を防止するための規制片を備え、この規制片と当該バリア基板との間に前記駆動レバーを挟持することを特徴とする請求項２ないし６のいずれかに記載のレンズバリア装置。
【請求項８】
前記駆動レバーには前記バリア羽根に当接する当接片が設けられ、この当接片と前記バリア羽根との当接部位の一方には板厚方向の寸法を大きくした当接リブを備えることを特徴とする請求項６または７に記載のレンズバリア装置。
【請求項９】
前記駆動レバーには前記バリア羽根に当接する当接片が設けられ、この当接片と前記バリア羽根との当接面の少なくとも一方には潤滑性を高めるための塗装、メッキ等の表面処理が施されていることを特徴とする請求項６または７に記載のレンズバリア装置。
【請求項１０】
前記バリア羽根は樹脂で形成され、前記駆動レバーは金属で形成されていることを特徴とする請求項１ないし９のいずれかに記載のレンズバリア装置。
【請求項１１】
前記バリア保持筒はカメラボディの収納位置から繰り出される構成であり、前記カム筒は当該バリア保持筒の繰り出し、収納動作に伴ってレンズ光軸回りに回動され、繰り出し時の回転により前記バリア羽根で前記レンズ開口を開放し、収納時の回転により前記バリア羽根で前記レンズ開口を閉塞することを特徴とする請求項４ないし１０のいずれかに記載のレンズバリア装置。
【請求項１２】
前記レンズ筒は前記バリア保持筒内においてレンズ光軸方向に移動される構成であることを特徴とする請求項１ないし１１のいずれかに記載のレンズバリア装置。
【請求項１３】
請求項１ないし１２のいずれかに記載のレンズバリア装置を備えるレンズ鏡筒。
【請求項１４】
請求項１３に記載のレンズ鏡筒を備えるカメラ。
【発明の詳細な説明】
【技術分野】
【０００１】
本発明はレンズ鏡筒の前面に設けられるレンズカバーに設けたレンズ開口を開閉するレンズバリア装置と、このレンズバリア装置を備えるレンズ鏡筒およびカメラに関するものである。
【背景技術】
【０００２】
デジタルコンパクトカメラに代表される光学機器において、レンズ鏡筒の前面に設けられているレンズ開口を、使用時には開放するが未使用時にはレンズを保護するために閉じるようにしたレンズバリア装置が提供されている。このレンズバリア装置として、従来ではレンズ開口に臨む位置に対をなすバリア羽根を配設し、これらバリア羽根を駆動機構によりレンズ鏡筒の径方向に回動させることによってレンズ開口を閉塞しあるいは開放する構造が提案されている。例えば、特許文献１には、レンズ鏡筒の前面領域にそれぞれ対をなす第１と第２、さらには第３のバリア羽根を設け、これら第１と第２ないし第３のバリア羽根を連動して駆動させることによりレンズ光軸方向の寸法を低減したレンズバリア装置が提案されている。
【先行技術文献】
【特許文献】
【０００３】
【特許文献１】特開２０１２−１５０１７３号公報
【発明の概要】
【発明が解決しようとする課題】
【０００４】
特許文献１の技術は複数対のバリア羽根をレンズ光軸方向に重ねた構成であるので、レンズ光軸方向の寸法が増大する。また、これらバリア羽根を駆動するためのバリア駆動部材が必要であり、このバリア駆動部材を配設することによってもレンズ光軸方向の寸法を低減することが難しくなる。特許文献１ではレンズバリア装置のレンズ光軸方向の寸法を抑制すべくバリア駆動部材をレンズの周囲に沿って配設しているが、これではレンズ鏡筒の外径寸法が大きくなってしまう。さらに、特許文献１はレンズを保持しているレンズ保持枠にレンズバリア装置を構成しているので、レンズ保持枠の重量も増大する。そのため、当該レンズ、すなわちレンズ保持枠をレンズ光軸方向に移動させる構成のレンズ鏡筒を設計したときには、レンズ保持枠を駆動する際の負荷が大きくなり、レンズ保持枠を迅速にかつ省電力で駆動することが難しいという問題も生じる。
【０００５】
このようなレンズバリア装置に対し、後述する本発明の実施形態において採用しているように、レンズ保持枠の外周に沿って独立したバリア保持筒を配設し、このバリア保持筒の前面にレンズバリア装置を一体的に設ける構成が考えられる。このようにすれば、レンズ保持枠にレンズバリア装置を備えなくてもよいため、レンズ保持枠のレンズ光軸方向およびレンズ径方向の寸法を低減し、レンズ保持枠を迅速かつ省電力で駆動する上で有利になる。しかし、このような構成では、レンズ保持枠はバリア保持筒の内部で駆動されることになるため、バリア保持筒の内部寸法、すなわちレンズ保持枠が移動することが可能とされるレンズ光軸方向の寸法を確保するには、レンズバリア装置のレンズ光軸方向の寸法をさらに低減することが要求される。また、バリア保持筒によってレンズ鏡筒の全体の径寸法が増大されてしまうため、バリア保持筒の径寸法、特にバリア保持筒に配設するレンズバリア装置の径方向の寸法を抑制することが要求されることになる。
【０００６】
本発明の目的は、レンズ光軸方向のレンズ移動量を確保する一方で、レンズを保護するためのバリア保持筒のレンズ光軸方向の寸法を可及的に小さくしたレンズバリア装置を提供するものである。また、本発明の他の目的はこのようなレンズバリア装置を備えるレンズ鏡筒およびカメラを提供するものである。
【課題を解決するための手段】
【０００７】
本発明は、レンズ筒の外周に配置されたバリア保持筒に設けられたレンズバリア装置であって、当該バリア保持筒に設けたレンズ開口を開閉するバリア羽根と、当該バリア羽根を開閉駆動するための駆動レバーとがレンズ光軸に垂直な平面上に配置されたことを特徴とする。このレンズバリア装置の好ましい形態としては、バリア保持筒に支持されてレンズ光軸方向に近接配置されたバリア基板とバリアカバーを備え、バリア羽根と駆動レバーはこれらバリアカバーとバリア基板との間に構成されたレンズ光軸方向の微小間隙内に配設される。また、バリア羽根はレンズ光軸を挟んで対称に配置され、平面上での回動位置の変化によってレンズ開口を開閉する一対の板部材で構成され、駆動レバーはバリア羽根のそれぞれに対して設けられ、自身の回動位置変化によって各バリア羽根の回動位置を変化させる一対の板部材で構成される。
【０００８】
また、本発明においては、バリア保持筒の内周面に沿って配置され、レンズ光軸回りに回動されたときに駆動レバーを回動させるカム筒を備える。さらに、駆動レバーに回動習性を付与するための第１のスプリングと、バリア羽根に回動習性を付与するための第２のスプリングとを備え、これら第１と第２のスプリングはバリア基板に設けた切欠き内に内装される。ここで、第１のスプリングは駆動レバーをバリア基板に対して回動付勢し、第２のスプリングはバリア羽根を駆動レバーに対して回動付勢し、カム筒は駆動レバーを第１のスプリングの回動付勢と反対方向に強制回動させる構成であり、駆動レバーは第１のスプリングの付勢力によってバリア羽根を第２のスプリングの付勢力に抗してレンズ開口を開放する位置に回動し、カム筒によって第１のスプリングの付勢力に抗して強制回動されたときにバリア羽根を第２のスプリングの付勢力によってレンズ開口を閉じる方向に回動する構成である。
【０００９】
さらに、本発明の好ましい形態として、バリア基板は、駆動レバーの板厚方向の変位、変形を防止するための規制片を備え、この規制片と当該バリア基板との間に駆動レバーを挟持する構成とする。また、駆動レバーにはバリア羽根に当接する当接片が設けられ、この当接片とバリア羽根との当接部位の一方には板厚方向の寸法を大きくした当接リブを備える。また、駆動レバーにはバリア羽根に当接する当接片が設けられ、この当接片とバリア羽根との当接面の少なくとも一方には潤滑性を高めるための塗装、メッキ等の表面処理が施されていてもよい。
【００１０】
本発明におけるバリア羽根は樹脂で形成され、駆動レバーは金属で形成されることが好ましい。また、バリア保持筒はカメラボディの収納位置から繰り出される構成であり、カム筒は当該バリア保持筒の繰り出し、収納動作に伴ってレンズ光軸回りに回動され、繰り出し時の回転によりバリア羽根でレンズ開口を開放し、収納時の回転によりバリア羽根でレンズ開口を閉塞する構成とすることが好ましい。
【００１１】
本発明のレンズ鏡筒は本発明の前記したレンズバリア装置を備えることを特徴とする。本発明のカメラは前記したレンズ鏡筒を備えることを特徴とする。
構成とする。
【発明の効果】
【００１２】
本発明によれば、レンズ開口を開閉するためのバリア羽根と、当該バリア羽根を開閉駆動するための駆動レバーがレンズ光軸に垂直な平面上に配置されているので、バリア羽根と駆動レバーをレンズ光軸方向に重ねる構成に比較してレンズバリア装置のレンズ光軸方向の寸法を低減することができる。これにより、レンズ鏡筒のレンズ光軸方向の寸法を抑制しながらも当該バリア保持筒内におけるレンズ筒のレンズ光軸方向の移動量を増大することができる。また、レンズバリア装置をレンズ筒の外周に配置されたバリア保持筒に形成しているので、バリア羽根を配設するための外径寸法に余裕ができ、バリア羽根を少ない枚数で構成でき、レンズバリア装置の構成部品数の削減と構成の簡略化が可能になる。例えば、バリア羽根と駆動レバーをそれぞれ一対の板部材で構成することにより、これらの部品数が低減でき、かつ構成が簡略化できるとともにレンズ光軸方向の薄型化が可能になる。
【００１３】
本発明によれば、バリア保持筒の内周面に沿って配置されてレンズ光軸回りに回動されたときに駆動レバーを回動させるカム筒を備えるので、バリア保持筒の内周面にはカム筒を備えるだけでよく、バリア保持筒の外径寸法をレンズ筒の外径寸法に近い寸法にまで低減できる。これにより、バリア保持筒の外径寸法を可及的に小さくしたレンズバリア装置が構成できる。また、カム筒はバリア羽根と駆動レバーとにレンズ光軸方向に殆ど重なることがないので、レンズバリア装置のレンズ光軸方向の寸法を低減する上でも有利になる。
【００１４】
特に、本発明によれば、駆動レバーに回動習性を付与するための第１のスプリングと、バリア羽根に回動習性を付与するための第２のスプリングとを備え、これら第１と第２のスプリングはバリア基板に設けた切欠き内に内装する形態とすることで、スプリングがバリア基板からレンズ光軸方向に突出されることがなく、レンズ光軸方向の寸法をさらに低減することができる。また、バリア基板は、駆動レバーの板厚方向の変位、変形を防止するための規制片を備え、この規制片と当該バリア基板との間に駆動レバーを挟持する構成とすることにより、バリア基板の厚み寸法の増大を抑制し、レンズバリア装置のレンズ光軸方向の寸法が低減できる。
【００１５】
さらに、本発明によれば、駆動レバーにはバリア羽根に当接する当接片が設けられ、この当接片とバリア羽根との当接部位の一方には板厚方向の寸法を大きくした当接リブを備えることにより、駆動レバーとバリア羽根との安定した当接状態が確保でき、バリア羽根による安定した開閉動作が可能になる。また、当接片とバリア羽根との当接面の少なくとも一方には潤滑性を高めるための塗装、メッキ等の表面処理が施されることにより、両者間での当接に際しての摩擦力等を低減し、スプリングや駆動レバーの小型化が可能になり、レンズバリア装置のさらなる小型化が可能になる。
【図面の簡単な説明】
【００１６】
【図１】本発明の実施形態のレンズユニットの収納時の断面図。
【図２】同レンズユニットの繰り出し時の断面図。
【図３】同レンズユニットの部分分解斜視図。
【図４】レンズバリア装置がレンズ開口を開放した状態のときのバリアカバーを除去した前面図と後面図。
【図５】レンズバリア装置がレンズ開口を閉塞した状態のときのバリアカバーを除去した前面図と後面図。
【図６】レンズ開口を開放しているときの駆動レバーの近傍部位の拡大斜視図。
【図７】レンズ開口を閉塞しているときの駆動レバーの近傍部位の拡大斜視図。
【図８】駆動レバーの近傍部位を斜め反対方向から見た斜視図。
【図９】駆動レバーの近傍部位の前面図とＢ−Ｂ線断面図。
【図１０】カム筒を含むバリア保持筒と固定筒との分解斜視図。
【図１１】カム筒のカム動作を説明するためのカム筒の内部構造図。
【発明を実施するための形態】
【００１７】
次に、本発明の実施の形態について図面を参照して説明する。図１および図２は本発明を適用したカメラのレンズ鏡筒をレンズユニットＬＵとして構成したものをレンズ光軸Ｌｘに沿って切断した断面図であり、図１はレンズユニットＬＵをカメラボディＣＢに収納した状態、図２はレンズユニットＬＵをカメラボディＣＢから繰り出した撮影時の状態を示している。また、図３は当該レンズユニットＬＵの部分分解斜視図である。レンズユニットＬＵは図１，２に鎖線で示すカメラボディＣＢに固定されている固定筒１の内周に回転筒２が保持され、この回転筒２の内部に直進筒３とレンズ筒４が配設され、当該回転筒２にそれぞれヘリコイド結合されている。前記回転筒２は、これらの図には表れない繰り出しモータ等の駆動力によってレンズ光軸Ｌｘの回りに回転され、この回転筒２の回転によって前記直進筒３とレンズ筒４は図１の収納状態から図２に示すように、カメラボディＣＢの前方（被写体側、以下前後方向については被写体側を前方、反対側を後方と称する）に直進移動して繰り出される。前記直進筒３と前記レンズ筒４はそれぞれ回転筒２に対して別のヘリコイドで結合されているので、繰り出し量はそれぞれ相違している。すなわち、前記直進筒３の繰り出し量Ｌ３はレンズ筒４の繰り出し量Ｌ４よりも大きい。したがって、図２に示すように、この繰り出し量の差（Ｌ３−Ｌ４）から後述するレンズバリア装置のレンズ光軸方向の寸法Ｌ２を差し引いた寸法Ｌ１が直進筒３内においてレンズ筒４内の後述するレンズ保持枠４２がレンズ光軸方向に移動するスペースとなる。
【００１８】
前記レンズ筒４はレンズ光軸方向の後側に配置されたモータ枠４１と、このモータ枠４１の前側に配置されたレンズ保持枠４２とで構成されている。前記モータ枠４１は前記回転筒２に内装支持されており、前記したように回転筒２の回転によって前記直進筒３が繰り出されたときには、これとともに所定の位置まで繰り出される。このモータ枠４１にはリードスクリュー４１２と、これを駆動するステッピングモータ４１１とが搭載されている。また、前記レンズ保持枠４２には前記リードスクリュー４１２に螺合される従動体４２１が搭載されている。これらリードスクリュー４１２、ステッピングモータ４１１、従動体４２１とでレンズ駆動装置が構成されており、このレンズ駆動装置によって前記レンズ保持枠４２はモータ枠４１に対してレンズ光軸方向に移動可能とされている。前記レンズ保持枠４２は前群レンズＬｆを保持したレンズ枠４２Ａと、シャッターＳおよび後群レンズＬｒを保持したフォーカス枠４２Ｂとを一体化した構成であり、前記レンズ駆動装置によってレンズ光軸方向に移動制御されることによってレンズユニットＬＵにおける焦点合わせが行われる。
【００１９】
一方、前記直進筒３は本発明におけるバリア保持筒として構成されており、当該直進筒３の前端部にバリア装置５が一体的に取着されている。このバリア装置５は、バリア基板５１と、このバリア基板５１の前面側に配設されるバリアカバー５２と、前記直進筒３に内装されてレンズ光軸Ｌｘを中心に回動されるカム筒５３で構成されている。前記バリア基板５１は前記直進筒３の前端部に固定支持されており、さらにこのバリア基板５１の前面に前記バリアカバー５２が固定されている。これらバリア基板５１とバリアカバー５２の中央にはカメラの撮影枠を構成する概ね長方形をしたレンズ開口５ａが設けられており、レンズバリア装置５はこのレンズ開口５ａを撮影時に開放してレンズユニットＬＵによる撮影を可能とし、非撮影時には閉じてレンズユニットＬＵを保護するように構成されている。なお、このバリアカバー５２の周縁部には、当該周縁部に形成される穴や切欠きを覆う装飾用の化粧リング板が貼り付けられるが、ここではこの化粧リング板は図示を省略している。
【００２０】
前記バリア基板５１の前面には、前記バリアカバー５２との間に２枚のバリア羽根６とこれらを駆動するための後述する駆動レバー７が配設されている。また、前記カム筒５３は直進筒３の前記した繰り出し、収納時のレンズ光軸方向の移動に伴ってレンズ光軸Ｌｘの回りに所要の角度範囲で回動され、このカム筒５３の回動によって前記駆動レバー７を介してバリア羽根６を駆動し、前記レンズ開口５ａを開閉するようになっている。
【００２１】
図４（ａ）は前記レンズバリア装置５がレンズ開口５ａを開放した状態のときのバリアカバー５２を除去した前面図であり、図４（ｂ）はその後面図である。また、図５（ａ）は前記レンズバリア装置５がレンズ開口５ａを閉塞した状態のときのバリアカバー５２を除去した前面図であり、図５（ｂ）はその後面図である。バリア基板５１は概ね円板状に形成され、その前面には前記レンズ開口５ａを径方向に挟む位置に２枚のバリア羽根６と、２枚の駆動レバー７が搭載されており、それぞれバリア基板５１の前面上で当該前面に沿って回動可能に支持されている。これらバリア羽根６と駆動レバー７はバリア基板５１の中心、すなわちレンズ光軸Ｌｘに対して点対称の構成であるので、それぞれには同一符号を付してまとめて説明する。
【００２２】
前記バリア羽根６は、金属薄板を板金加工し、あるいは樹脂成形により形成されるが、ここでは樹脂成形によって形成されている。このバリア羽根６は前記レンズ開口５ａを開閉するための概ね三角形状をした開閉部６１と、この開閉部６１の一端に連設された相対的に小さな三角形状をした基端部６２とで構成されており、この基端部６２において前記バリア基板５１の前面の円周一部に立設された支軸６３に枢支されている。そして、当該開閉部６１と基端部６２は当該支軸６３を中心にしてバリア基板５１の前面に沿って回動可能とされており、図４（ａ）のようにバリア基板５１の周縁に沿った回動位置では前記レンズ開口５ａを開放し、この回動位置からバリア基板５１の中心に向かって時計方向に回動されることにより図５（ａ）のようにレンズ開口５ａを閉塞するようになっている。なお、以降の説明における時計方向、反時計方向は図４（ａ），図５（ａ）に示したレンズバリア装置５を前方から見たときの方向である。
【００２３】
前記駆動レバー７は、ここでは所要の強度を有する金属薄板によって概ね扇形に形成されており、当該駆動レバー７の要（かなめ）に相当する部位が前記バリア羽根６の前記基端部６２に隣接する位置において前記カバー基板５１の一部に立設されたピン軸７１に枢支され、当該ピン軸７１を中心にしてバリア基板５１の前面に沿って回動可能とされている。この駆動レバー７は前記バリア羽根６と前記バリア基板５１の前面に沿った同一平面に配置されている。
【００２４】
前記駆動レバー７は、図６に拡大斜視図を示すように、時計方向側の一部がアーム片７２として形成されており、このアーム片７２の先端部７２１は前記バリア羽根６の基端部６２の一部に当接されている。ここで、これらアーム片７２と基端部６２との当接を確実なものとするために、当該基端部６２の一部にほぼ垂直に向けて立設された当接リブ６２１を一体に設けており、前記アーム片７２の先端部７２１はこの当接リブ６２１の立面に当接されている。図８には斜め反対方向から見た斜視図を示している。前記駆動レバー７の２箇所には、図４，５，６を参照すると分かるように、それぞれ後方（図６の下方、以下同じ）に向けて曲げ形成されたスプリング掛止片７３，７４が設けられており、これらのスプリング掛止片７３，７４はバリア基板５１に設けた切欠き５１１内に位置される。そして、これらスプリング掛止片７３，７４のうち、前記ピン軸７１を中心とした時計方向側のスプリング掛止片７３には、前記バリア基板５１の一部に設けたスプリング固定片５１２との間に引っ張りコイルスプリングからなる第１のスプリングとして、開スプリング７５が弾装され、この開スプリング７５の付勢力によって駆動レバー７は時計方向の回動習性が付与されている。
【００２５】
また、他方の反時計方向側のスプリング掛止片７４には、前記バリア羽根６の基端部６２の一部に設けたスプリング掛止片６４との間に引っ張りコイルスプリングからなる第２のスプリングとして、閉スプリング７６が弾装されている。この閉スプリング７６の付勢力によってバリア羽根６は駆動レバー７に対して時計方向の回動習性が付与されている。この閉スプリング７６による回動習性によってバリア羽根６は駆動レバー７に対して時計方向に回動するように付勢されているが、前記したように駆動レバー７のアーム片７２がバリア羽根６の基端部６２に設けた当接片６２１に当接されているときには、その当接力によってバリア羽根６が時計方向に回動することが係止されることになる。
【００２６】
さらに、前記駆動レバー７の前記スプリング係止片７３に隣接する部位には後方に向けてカムピン７７が突設されており、このカムピン７７は前記カム筒５３の前縁部に臨んだ位置に配置されている。このカム筒５３の前縁部には当該カム筒５３がレンズ光軸Ｌｘの回りに回動されたときに前記カムピン７７に係合されるカム突起５３１が前方に向けて一体に突設されている。このカム突起５３１は反時計方向の端面が内径方向に向けたテーパー状に形成されている。そのため、図７に示すように、前記カム筒５３がレンズ光軸回りに回動されたときには、前記カムピン７７は当該カム筒５３に設けたカム突起５３１に係合され、当該カム突起５３１のテーパー形状によってカムピン７７は内径方向、すなわちレンズ光軸Ｌｘに向けた中心方向に強制的に移動されるようになっている。このカムピン７７の中心方向の強制移動により、駆動レバー７は開スプリング７５の付勢力に抗して反時計方向に回動され、これと一体のアーム片７２がバリア羽根６の当接リブ６２１との当接位置から退避されるので、閉スプリング７６の付勢力によってバリア羽根６は時計方向に回動されることになる。
【００２７】
ここで、図６，７，８に示したように、前記駆動レバー７のアーム片７２が前方（図６，７，８の上方）に変位することを防止するために、当該アーム片７２の前側を覆う位置に片持ち片状の規制片５１３が前記カバー基板５１に固定支持されている。すなわち、図９（ａ），（ｂ）にバリアカバー５２を装着した状態の駆動レバー７の近傍部の前面図とそのＢ−Ｂ線断面図をそれぞれ示すように、駆動レバー７は支点となるピン軸７１の頭部とバリア基板５１とによってレンズ光軸方向に挟持されている。また、バリア基板５１と規制片５１３とによってもレンズ光軸方向に規制されている。また、前記閉スプリング７５はバリア基板５１に設けた切欠き５１１に内装されており、バリア基板５１の厚みの範囲内に収められている。これは開スプリング７６についても同じである。
【００２８】
前記カム筒５３は、図１０に要部の分解斜視図を示すように、外周面が前記直進筒３、すなわちバリア保持筒の内面に接した状態で支持されており、当該バリア保持筒３とはレンズ光軸方向には一体的に移動されるが、レンズ光軸回り方向にはバリア保持筒３に対して相対的に回転可能に保持されている。また、前記固定筒１の内径位置に配置されて当該固定筒１あるいはカメラボディＣＢに固定支持されている固定枠１０（図１，２，３参照）の円周方向の２箇所においてレンズ光軸方向に突出形成された直線ライナー１１の一部にそれぞれガイドカム１２が外径方向に突設されており、前記カム筒５３の内面にはレンズ光軸方向に対して傾斜する方向に延長され、当該ガイドカム１２が係合されるカム溝５３２が凹設されている。これにより、前記回転筒２の回転によってバリア保持筒３が前方に繰り出し移動されると、カム筒５３はこれと一体にレンズ光軸方向に移動されるが、カム溝５３２とガイドカム１２とのカム係合によって当該カム筒５３はバリア保持筒３に対してレンズ光軸回りに相対回動されることになる。この例では、バリア保持筒３が繰り出されたときには、図１０の時計方向に回動されることになる。
【００２９】
この実施形態のレンズバリア装置によれば、図１に示したレンズユニットＬＵをカメラボディＣＢに収納した状態では、カム筒５３のカム溝５３２はガイドカム１２に係合された状態となるため、カム筒５３は反時計方向に回動された位置にある。この回動位置では、図５および図７に示すように、カム筒５３のカム突起５３１が駆動レバー７のカムピン７７に係合され、カムピン７７が内径方向に強制移動されている。そのため、図５（ａ）に矢印Ｐ２，Ｑ２で示すように、駆動レバー７は開スプリング７５の付勢力に抗してピン軸７１を中心にして反時計方向に回動され（Ｐ２）、これと一体のアーム片７２はバリア羽根６の当接リブ６２１との当接位置から反時計方向に退避された位置から退避された位置にある。したがって、バリア羽根６はアーム片７２によって時計方向に回動することが係止されることはなく、バリア羽根６は閉スプリング７６の付勢力によって時計方向に回動され（Ｑ２）、一対のバリア羽根６の各開閉部６１がそれぞれレンズ開口５ａを半分ずつ閉塞することで当該レンズ開口５ａを全閉することになる。
【００３０】
このとき、図１１にカム筒５３の内面形状を示すように、カム筒５３に設けられているカム溝５３２はレンズユニットＬＵがカメラボディＣＢ内に収納された状態においてガイドカム１２に係合される部分５３２ａが所要長さにわたってレンズ光軸方向に平行な方向に延長されている。そのため、当該レンズユニットＬＵの収納時にカム筒５３が多少レンズ光軸方向に移動されてもカム筒５３は回動されることはなく、カム突起５３１がカムピン７７、すなわち駆動レバー７を強制回動させた状態を保持し、バリア羽根６によるレンズ開口５ａの閉塞状態を保持することができる。したがって、レンズユニットＬＵに存在している公差や、設計・製作誤差によってレンズユニットＬＵのカメラボディＣＢ内での収納位置にレンズ光軸方向の位置ずれが生じていても確実にレンズ開口５ａを閉塞することができる。
【００３１】
一方、回転筒２が回動されて図２に示したようにカメラボディＣＢからレンズユニットＬＵが繰り出されたときには、カム筒５３のカム溝５３２とガイドカム１２との係合によりカム筒５３は時計方向に回動される。これにより、図４および図６に示すように、カム筒５３のカム突起５３１は駆動レバー７のカムピン７７との係合が外れて強制回動の状態から解除される。そのため、図４（ａ）にＰ１，Ｑ１で示すように、駆動レバー７は開スプリング７５の付勢力によって時計方向に回動される（Ｐ１）。これにより、駆動レバー７のアーム片７２はバリア羽根６の当接リブ６２１に当接され、閉スプリング７６の付勢力に抗して基端部６２を反時計方向に強制回動する。したがって、バリア羽根６が反時計方向に回動され（Ｑ１）、一対のバリア羽根６の各開閉部６１がそれぞれレンズ開口５ａを閉塞する位置から後退され、レンズ開口５ａを開放することになる。
【００３２】
このとき、駆動レバー７のアーム片７２は開スプリング７５の付勢力によってバリア羽根６の基端部６２に当接してバリア羽根６を回動させるため、アーム片７２と基端部６２との当接力は大きなものになる。この当接力によって駆動レバー７が板厚方向に変位され、あるいは変形されるおそれがあり、これらの変位や変形によってアーム片７２と基端部６２とが適切に当接しない状態に陥ることが考えられる。しかし、ここではアーム片７２の前面側に沿って規制片５１３を配設しているので、アーム片７２が板厚方向に変位、変形されることが防止される。また、アーム片７２が当接される基端部６２の部位には板厚方向に立設された当接リブ６２１が存在しているので、アーム片７２が板厚方向に多少変位、変形されても当接リブ６２１との当接状態が損なわれることはない。これにより、レンズ開口５ａを確実に開放させ、かつ開放した状態を安定に保持することができる。
【００３３】
このようにこのレンズバリア装置５は、レンズ保持枠４２、すなわちレンズ筒４の外周に直進筒からなるバリア保持筒３を配設し、このバリア保持筒３の前端部にレンズバリア装置５を構成しているので、レンズバリア装置５の主要な構成部材であるバリア羽根６をレンズ筒４よりも大径なバリア保持筒３の外径寸法の領域内に配設することが可能になり、それだけバリア羽根６の可動範囲を大きく確保することができる。これにより、バリア羽根６を一対の板部材で構成することができ、またこれらバリア羽根６を駆動する駆動レバー７も一対の板部材で構成することができるので、レンズバリア装置５の構成部材を低減して構成を簡略化することができる。さらに、レンズバリア装置５は、バリアカバー５２とバリア基板５１とで挟まれたレンズ光軸方向の微小な間隙内にそれぞれ１枚の薄い板部材で構成されたバリア羽根６と駆動レバー７が配設された構成であり、しかもバリア羽根６と駆動レバー７はレンズ光軸Ｌｘと交差する同一平面に配置されているので、レンズバリア装置５に占めるレンズ光軸方向の寸法をほぼ薄い板材の板厚に相当する寸法として構成できる。また、バリア羽根６と駆動レバー７をそれぞれ回動付勢するための開スプリング７５と閉スプリング７６はバリア基板５１に設けられた切欠き５１１内に配設されているので、これらスプリング７５，７６のレンズ光軸方向の寸法をバリア基板５１の厚み寸法内に収めることができ、これらスプリング７５，７６によってレンズ光軸方向の寸法が増大することはない。以上のことから、バリア装置５ないしバリア保持筒３の小径化を実現する一方で、図２に示したように、バリア保持筒３内におけるレンズ筒４が移動可能なレンズ光軸方向の寸法Ｌ１を最大限に確保することができる。
【００３４】
さらに、このレンズバリア装置５は、レンズ筒４の外周に配置したバリア保持筒３の前端部に配設しているので、レンズ筒４の外径寸法やレンズ光軸方向の寸法を増大することはなく、しかもレンズ筒４の重量がいたずらに増大することもなく、迅速かつ省電力でのレンズ駆動が可能になる。また、レンズバリア装置５の駆動レバー７ないしはバリア羽根６を駆動させるためのカム筒５３はバリア保持筒３の内周面に沿った単一の筒部材で構成されており、このカム筒５３はレンズ筒４の外周位置に配置されているので、カム筒５３がバリア羽根６や駆動レバー７に対してレンズ光軸方向から見て殆ど重なることがなく、レンズバリア装置５の径寸法を小さくすることができる。また、このカム筒５３はレンズ筒４に対してもレンズ光軸方向から見て殆ど重なることはなく、この面からもバリア保持筒３の径寸法を最小限の寸法に抑制することができる。
【００３５】
ここで、実施形態では説明を省略したが、駆動レバー７のアーム片７２の先端部７２１と、これが当接されるバリア羽根６の当接リブ６２１の当接面での接触抵抗を低減するために、これらの当接面を潤滑面となるような表面処理を施すことが好ましい。例えば、当接リブ６２１の当接面に潤滑性の高い膜を塗布あるいはメッキするようにすればよい。このような表面処理を施すことにより、特に開スプリング７５の付勢力よってアーム片７２を駆動レバー７と一体に回動させ、アーム片７２の当接によって閉スプリング７６の付勢力に抗してバリア羽根６を開放させる際のアーム片７２の先端部７２１と当接リブ６２１との接触抵抗を低減し、当該閉スプリング７６の付勢力を低減してその小型化を図る上で有利になる。
【００３６】
また、実施形態ではバリア羽根６を樹脂で形成し、駆動レバー７を金属板で形成しているが、これらの材料に限定されるものではない。しかし、実施形態のようにバリア羽根６を樹脂成形すれば当接リブ６２１を一体形成できるので製造の容易化、軽量化を図る上では好ましい。この当接リブは駆動レバーに設けてバリア羽根との確実な当接を得るようにしてもよい。また、駆動レバー７を金属板で形成すれば必要な強度、特にカム筒５３によって強制回動されたときにバリア羽根６を開方向に回動させる際に生じる内部応力に耐え得る強度を得るための板厚寸法が低減できるので、レンズバリア装置のレンズ光軸方向の寸法を低減する上で好ましい。
【００３７】
実施形態では駆動レバー７の板厚方向の変位や変形を抑制するための規制板５１３をバリア基板５１に一体的に設けているが、駆動レバー７が十分な強度を有している場合には規制板５１３を省略してもよい。
【００３８】
本発明はレンズ鏡筒をカメラボディから繰り出す方式のレンズユニットとして構成したものに適用しているが、レンズユニットの外筒がカメラボディに固定され、この外筒内でレンズ筒がレンズ光軸方向に移動される構成のレンズユニットとしても同様に適用することができる。この場合には、当該外筒をバリア保持筒として構成し、この外筒の前端部にレンズバリア装置を構成するようにすればよい。
【産業上の利用可能性】
【００３９】
本発明はレンズ鏡筒の前面に設けたレンズ開口を開閉するレンズバリア装置およびレンズ鏡筒とカメラに採用して有効である。
【符号の説明】
【００４０】
ＣＢ  カメラボディ
ＬＵ  レンズユニット
１  固定筒
２  回転筒
３  直進筒（バリア保持筒）
４  レンズ筒
５  レンズバリア装置
５ａ  レンズ開口
６  バリア羽根
７  駆動レバー
４１  モータ枠
４２  レンズ保持筒
５１  バリア基板
５１１  切欠き
５１３  規制片
５２  バリアカバー
５３  カム筒
５３１  カム突起
５３２  カム溝
６１  開閉部
６２  基端部
６２１  当接リブ
７２  アーム片（当接片）
７５  開スプリング（第１のスプリング）
７６  閉スプリング（第２のスプリング）
【図１】
2014228712.tif 000003
【図２】
2014228712.tif 000004
【図３】
2014228712.tif 000005
【図４】
2014228712.tif 000006
【図５】
2014228712.tif 000007
【図６】
2014228712.tif 000008
【図７】
2014228712.tif 000009
【図８】
2014228712.tif 000010
【図９】
2014228712.tif 000011
【図１０】
2014228712.tif 000012
【図１１】
2014228712.tif 000013